(57)【特許請求の範囲】
【請求項１】
潜像を担持する潜像担持体と、該潜像担持体上に潜像を形成する像形成手段と、上記潜像を現像する複数の現像手段と、該現像手段により現像された像を重ねあわせるために転写する転写手段と、上記潜像担持体上の電荷を取り除く除電用発光を行う発光部を有する除電部を備え、該転写手段上の重ね合わされた像を紙に転写することでフルカラー画像を得るカラー画像形成装置であって、
上記潜像担持体上の電荷を取り除く除電用発光を行う発光部を有する除電部、
上記潜像担持体の書き出し位置のマークを検出する潜像担持体書き出し位置検知手段、
上記転写手段の書き出し位置を決めるマークを検知する転写手段書き出し位置検知手段、
上記除電用発光を行う発光部の発光タイミングを制御する手段、を有し、
上記潜像担持体、上記転写手段及び上記除電部が近い位置関係にあり、上記除電部からの光が上記潜像担持体書き出し位置検知手段や上記転写体転写位置検知手段の受光部に照射されることで外乱光となり、精度を必要とする検知に影響を与えることとなり得るカラー画像形成装置において、
上記除電部の除電機能を動作させる前に、走行する上記潜像担持体または上記転写手段のいずれかの上記マークを検知するために、上記潜像担持体書き出し位置検知手段または上記転写手段書き出し位置検知手段を動作させ、
上記制御手段は、第２回目からの上記走行する上記潜像担持体または上記転写手段のいずれかのマークの検知タイミングにおいては、
上記発光部の発光タイミングを、
上記走行する上記潜像担持体または上記転写手段のいずれかのマークの検出より前では、上記除電部の除電動作を停止させるタイミングとし、
上記走行する上記潜像担持体または上記転写手段のいずれかのマーク検出後では、直ちに上記除電部の除電動作を再開させるタイミングとする
ものであることを特徴とするカラー画像形成装置。
【発明の詳細な説明】
【０００１】
【発明の属する技術分野】
本発明は、潜像担持体の書き込み位置検出と、転写媒体の転写位置検出において、外乱光の検知に起因する誤動作を防ぐ機能を有すカラー画像形成装置に関する。
【０００２】
【従来の技術及び発明が解決しようとする課題】
潜像担持体と転写材とからなり転写材に複数の画像を重ねあわせることで多色画像を得る画像形成装置においては、潜像担持体の書き込みの書き出し位置を決める印を検出する装置は、受光部と発光部からなるセンサーで構成されていることが多い。また、潜像担持体で形成された像を転写する転写材の転写位置を検出する印を検知する装置も、受光部と発光部からなるセンサーで構成されていることが多い。
【０００３】
一方、今日の低価格、小サイズ化が図られている画像形成装置においては、潜像担持体と転写材、除電部は近い位置関係にあることが多く、それらのセンサー同士も近い位置関係にある場合がある。そこで本発明は、この点を利用し、潜像担持体の書き出し位置検出時と転写体の転写書き出し位置検出時より前に除電動作停止し、位置検出後は直ちに除電動作を行うことで、位置検出の精度を確保することを目的とする。
【０００４】
また本発明は、潜像担持体と転写体の位置検出時前に除電動作を停止するタイミングは、除電発光部の光の立ち上がりを考慮して決定することで、位置検知精度を上げることを目的とする。
【０００５】
さらに本発明は、潜像担持体と転写体の位置検出時に除電動作を停止するタイミングは、発光部の光のもれを考慮して決定することで、位置検知精度を上げることを目的とする。
【０００６】
【課題を解決するための手段】
本発明の請求項１に係るカラー画像形成装置は、上記目的を達成するために、潜像を担持する潜像担持体と、該潜像担持体上に潜像を形成する像形成手段と、上記潜像を現像する複数の現像手段と、該現像手段により現像された像を重ねあわせるために転写する転写手段と、上記潜像担持体上の電荷を取り除く除電用発光を行う発光部を有する除電部を備え、該転写手段上の重ね合わされた像を紙に転写することでフルカラー画像を得るカラー画像形成装置であって、上記潜像担持体上の電荷を取り除く除電用発光を行う発光部を有する除電部、上記潜像担持体の書き出し位置のマークを検出する潜像担持体書き出し位置検知手段、上記転写手段の書き出し位置を決めるマークを検知する転写手段書き出し位置検知手段、上記除電用発光を行う発光部の発光タイミングを制御する手段、を有し、上記潜像担持体、上記転写手段及び上記除電部が近い位置関係にあり、上記除電部からの光が上記潜像担持体書き出し位置検知手段や上記転写体転写位置検知手段の受光部に照射されることで外乱光となり、精度を必要とする検知に影響を与えることとなり得るカラー画像形成装置において、上記除電部の除電機能を動作させる前に、走行する上記潜像担持体または上記転写手段のいずれかの上記マークを検知するために、上記潜像担持体書き出し位置検知手段または上記転写手段書き出し位置検知手段を動作させ、上記制御手段は、第２回目からの上記走行する上記潜像担持体または上記転写手段のいずれかのマークの検知タイミングにおいては、上記発光部の発光タイミングを、上記走行する上記潜像担持体または上記転写手段のいずれかのマークの検出より前では、上記除電部の除電動作を停止させるタイミングとし、上記走行する上記潜像担持体または上記転写手段のいずれかのマーク検出後では、直ちに上記除電部の除電動作を再開させるタイミングとするものであることを特徴とする。
【０００９】
【発明の実施の形態】
以下本発明の実施の形態を図面を参照して説明する。
図１は、本発明に係るカラー画像形成装置の一実施形態の構成を概念的に示すブロック図である。フルカラー画像形成装置の現像部１は、シアン、イエロー、マゼンタ、黒用の４つの現像器１Ｃ、１Ｙ、１Ｍ、１Ｋがある。潜像担持体２には、詳細には図示せぬが、帯電部、現像部、クリーニング部、除電部３、露光部などが配列されて像形成することが可能になっている。像形成過程は、まず潜像担持体１上を除電部から出力される光で除電し、その後に一様に帯電を行い、次に露光部において画像データに従いレーザダイオイードを駆動してレーザー光をポリゴンミラーに照射させ、潜像担持体１上に静電潜像を形成する。潜像担持体１に形成されたシアン、イエロー、マゼンタ、黒画像の４色を転写体４に順次重ね、重ねられた像を転写紙に転写し、定着させることで、フルカラー画像を得ている。図中５は潜像担持体書き出し位置検知センサ、６は転写体転写位置検知センサである。
【００１０】
図２は、本発明に係るカラー画像形成装置の一実施形態の全体制御構造のブロック図である。メインＣＰＵ１０により、現像器１、潜像担持体書き出し位置検知センサ５、転写体転写位置検知センサ６、除電部３、クリーニングユニットなどの図１では図示を省略した他のユニット７の動作を制御している。
【００１１】
図３は潜像担持体２の書き込み開始位置を制御するためのマーク穴８と潜像担持体書き出し位置検知センサ５、除電部３の位置関係を示す概念的斜視図である。このマーク穴８は、安価な継ぎ目のある潜像担持体２に通常設けてあるもので、継ぎ目に画像が形成されないように端縁に設けて、像の書き出し位置を制御できるようにしてある。また図示を省略するが、転写体４にも転写位置を合わせて、位置ずれのない画像合わせのためのマーク穴が設けてある。図中９は除電部３の発光部である。
【００１２】
潜像担持体２や転写体４のマーク検知に用いるセンサ５（潜像担持体２用のもののみを図示してあるが、転写体４用も同様のものである。）は、発光部と受光部から構成してあり、メインＣＰＵ１０により制御されて、検知信号は常時把握されている。発光部から発光信号を送り、受光部でその光を検知して信号を出力する。
【００１３】
これらの発光部、受光部間を潜像担持体２または転写体４が走行あるいは移動しており、マーク穴８を走査したときに検知信号が出力される。潜像担持体２、転写体４、除電部３は図１のように設置されており、近い位置関係にある。そこで除電部３からの光が潜像担持体書き出し位置検知センサ５や転写体転写位置検知センサ６の受光部に照射されることで外乱光となり、精度を必要とする検知に影響を与えることとなる。
【００１４】
そこで、本実施形態ではマーク検知タイミングにおいては、除電動作を行わないようにして、画像書き出し位置制御を正確に行えるようにしている。
【００１５】
ここで、まず１回目の潜像担持体２のマーク穴８の検知を行った後に除電動作を開始し、２回目のマーク穴８を検知する前に除電部３の発光部９を消灯させ、マーク検知に外乱光による影響を与えないようにする。この除電部３の発光部９の消灯タイミングは、発光部９の光特性を考慮し、ぎりぎりのタイミング（同時など）とならないようにする。そのずらすタイミングは、発光部９の光特性（立ち上がり特性）を考慮したり、除電部３の周辺の機械構造物による反射等による外乱光を考慮して決定したりする。
【００１６】
【発明の効果】
本発明に係るカラー画像形成装置は、以上説明してきたようなものなので、マーク検知の精度を保つことで色ずれ検知補正を正確に行え、色ずれのない原稿に忠実なコピー画像を提供することができるという効果がある。
【図面の簡単な説明】
【図１】本発明に係るカラー画像形成装置の一実施形態の構成を概念的に示すブロック図である。
【図２】本発明に係るカラー画像形成装置の一実施形態の全体制御構造のブロック図である。
【図３】潜像担持体の書き込み開始位置を制御するためのマーク穴と潜像担持体書き出し位置検知センサ、除電部の位置関係を示す概念的斜視図である。
【符号の説明】
１  現像部
１Ｃ、１Ｙ、１Ｍ、１Ｋ  現像器
２  潜像担持体
３  除電部
４  転写体
５  潜像担持体書き出し位置検知センサ
６  転写体転写位置検知センサ
７  他のユニット
８  マーク穴
９  除電部の発光部
１０  メインＣＰＵ
【図１】
0004180805.tif 000002
【図２】
0004180805.tif 000003
【図３】
0004180805.tif 000004